(57)【特許請求の範囲】
【請求項１】
油圧ポンプ装置と、前記油圧ポンプ装置から圧油が供給され第１被駆動体を駆動する第１油圧アクチュエータと、前記油圧ポンプ装置から圧油が供給され第２被駆動体を駆動する第２油圧アクチュエータと、前記油圧ポンプ装置から前記第１油圧アクチュエータに供給される圧油の流れを制御する第１流量調整装置と、前記油圧ポンプ装置から前記第２油圧アクチュエータに供給される圧油の流れを制御する第２流量調整装置と、前記第１被駆動体の動作を指令する操作信号を出力し前記第１流量調整装置を切り換える第１操作装置と、前記第２被駆動体の動作を指令する操作信号を出力し前記第２流量調整装置を切り換える第２操作装置とを備え、
前記第１油圧アクチュエータは、前記第１操作装置が前記第１被駆動体の自重落下方向に操作されたときに、前記第１被駆動体の自重落下によりボトム側油室から圧油を排出しロッド側油室から圧油を吸入する油圧シリンダである作業機械の油圧駆動システムにおいて、
前記油圧シリンダのボトム側油室を前記油圧ポンプ装置と前記第２油圧アクチュエータとの間に接続する再生通路と、前記油圧シリンダのボトム側油室から排出される圧油の少なくとも一部を前記再生通路を介して前記油圧ポンプ装置と前記第２油圧アクチュエータの間に供給する再生流量調整手段と、
前記油圧シリンダのボトム側油室の圧力を検出する第１圧力検出手段が検出した前記油圧シリンダのボトム側油室の圧力、および前記油圧ポンプ装置と前記第２油圧アクチュエータの間の圧力を検出する第２圧力検出手段が検出した前記油圧ポンプ装置と前記第２油圧アクチュエータの間の圧力とを読み込み、差圧を算出する差圧算出手段、又は前記油圧シリンダのボトム側油室の圧力と，前記油圧ポンプ装置と前記第２油圧アクチュエータの間の圧力との差圧を検出する差圧検出手段と、
前記差圧算出手段が算出した差圧、又は前記差圧検出手段が検出した差圧の増加に応じて前記再生通路の開口面積を増加させるように前記再生流量調整手段を制御する制御装置を備えた
ことを特徴とする作業機械の油圧駆動システム。
【請求項２】
請求項１に記載の作業機械の油圧駆動システムにおいて、
前記油圧ポンプ装置は少なくとも１つの可変容量型の油圧ポンプを含み、
前記可変容量型の油圧ポンプは、吐出流量を調整可能とする吐出流量調整手段を備え、
前記制御装置は前記差圧算出手段が算出した差圧、又は前記差圧検出手段が検出した差圧に応じて、前記油圧ポンプ装置の吐出流量を制御するために、前記吐出流量調整手段を制御する
ことを特徴とする作業機械の油圧駆動システム。
【請求項３】
請求項１に記載の作業機械の油圧駆動システムにおいて、
前記油圧シリンダのボトム側油室から排出される圧油の少なくとも一部をタンクに排出する排出流量調整手段をさらに備え、
前記制御装置は前記差圧算出手段が算出した差圧、又は前記差圧検出手段が検出した差圧に応じて、前記タンクに排出する圧油の排出流量を制御するために、前記排出流量調整手段を制御する
ことを特徴とする作業機械の油圧駆動システム。
【請求項４】
請求項２に記載の作業機械の油圧駆動システムにおいて、
前記油圧シリンダのボトム側油室から排出される圧油の少なくとも一部をタンクに排出する排出流量調整手段をさらに備え、
前記制御装置は前記差圧算出手段が算出した差圧、又は前記差圧検出手段が検出した差圧に応じて、前記タンクに排出する圧油の排出流量を制御するために、前記排出流量調整手段を制御する
ことを特徴とする作業機械の油圧駆動システム。
【請求項５】
請求項４に記載の作業機械の油圧駆動システムにおいて、
前記第１操作装置の操作量を検出する第１操作量検出器と、前記第２操作装置の操作量を検出する第２操作量検出器とをさらに備え、
前記制御装置は、前記第１操作量検出器が検出した前記第１操作装置の操作量と前記第２操作量検出器が検出した前記第２操作装置の操作量とを読み込み、前記第１操作装置、または前記第２操作装置の少なくとも一方の操作量に応じて、前記再生流量調整手段、前記排出流量調整手段、または前記吐出流量調整手段の少なくともいずれか一つを制御する
ことを特徴とする作業機械の油圧駆動システム。
【請求項６】
請求項５に記載の作業機械の油圧駆動システムにおいて、
前記制御装置は、前記第１操作装置、または前記第２操作装置の少なくとも一方の操作量が一定量のときは、前記差圧算出手段が算出した差圧、又は前記差圧検出手段が検出した差圧の増加に応じて前記再生通路を流れる圧油の流量を増加させるように前記再生流量調整手段を制御する
ことを特徴とする作業機械の油圧駆動システム。
【請求項７】
請求項５に記載の作業機械の油圧駆動システムにおいて、
前記制御装置は、前記差圧算出手段が算出した差圧、又は前記差圧検出手段が検出した差圧が一定量のときは、前記第１操作装置の操作量の増加または前記第２操作装置の操作量の増加に応じて、前記再生通路を流れる圧油の流量を増加させるように前記再生流量調整手段を制御する
ことを特徴とする作業機械の油圧駆動システム。
【請求項８】
請求項４に記載の作業機械の油圧駆動システムにおいて、
前記再生流量調整手段と前記排出流量調整手段は、再生側絞りと排出側絞りを有する１つの再生制御弁である
ことを特徴とする作業機械の油圧駆動システム。
【請求項９】
請求項４に記載の作業機械の油圧駆動システムにおいて、
前記再生流量調整手段は再生流量を調整する再生弁であり、前記排出流量調整手段は排出流量を調整する排出弁である
ことを特徴とする作業機械の油圧駆動システム。
【発明の詳細な説明】
【技術分野】
【０００１】
本発明は、作業機械の油圧駆動システムに係り、詳しくは、被駆動部材（例えばブーム）の自重落下等、被駆動部材の慣性エネルギにより油圧アクチュエータから排出された圧油を他のアクチュエータの駆動に再利用（再生）する再生回路を備えた油圧ショベル等の作業機械の油圧駆動システムに関する。
【背景技術】
【０００２】
ブームの自重落下によりブームシリンダから排出された圧油をアームシリンダに再生する再生回路を備えた作業機械の油圧駆動システムが知られており、その一例が特許文献１に記載されている。
【０００３】
特許文献１に記載の作業機械の油圧駆動システムは、ブームシリンダからの排出油をアームシリンダへ再生するときに、油圧ポンプの吐出流量を減少させると共に、複合動作時の油圧ポンプの吐出流量が規定流量以下の場合には、エンジンの回転数を低下させる制御装置を備えている。
【先行技術文献】
【特許文献】
【０００４】
【特許文献１】特開２０１３−２０４２２３号公報
【発明の概要】
【発明が解決しようとする課題】
【０００５】
特許文献１の油圧駆動システムでは、複合動作時の油圧ポンプの駆動のロスを十分に抑えることができる。しかし、ブームシリンダの排出油をアームシリンダに再生する際に、回生弁が急激に開きショックが生じる可能性がある。以下に理由を説明する。
【０００６】
特許文献１の油圧駆動システムでは、ブーム下げ操作量に応じてブームシリンダから排出される排出油の排出量を算出し、アームダンプ操作量に応じてアームシリンダのメータイン流量を算出し、それぞれの値の小さい方を回生流量と定義している。そして、回生弁の開度指令の算出に、ブームシリンダのボトム側油室の圧力とアームシリンダのロッド側油室の圧力を用いており、両者の差圧が小さいときには設定された回生流量を流すための大開度指令が算出される。一方、両者の差圧が大きいときには、回生流量が過大とならないように回生弁開度を閉方向に絞る指令が算出される。
【０００７】
ここで、ブーム下げ操作とアームダンプ操作を同時に行う複合動作がなされると、通常のアクチュエータの動き始めにおいて、ブームシリンダのボトム側油室の圧力は、アームシリンダのロッド側油室の圧力より低いため、上述した両者の差圧は負の値になる。このため、ブームシリンダの排出油をアームシリンダに再生することはできず、回生弁は全閉のままとなる。
【０００８】
その後、時間の経過と共にブームシリンダのボトム側油室の圧力が上昇するので、上述した両者の差圧が負の値から正の値へ切り替わる。この切り替わりのときは、差圧の絶対値が小さいので、設定された回生流量を流すために回生弁には大開度指令が出力される。このことにより、回生弁は全閉状態から急激に例えば全開となるように制御される。この回生弁の急激な切り替わりは、圧力ショックを引き起こすことが想定され、操作性の違和感をオペレータに与える可能性がある。
【０００９】
本発明は上述の事柄に基づいてなされたもので、その目的は、油圧アクチュエータから排出された圧油を他のアクチュエータの駆動に再生する場合に、良好な操作性を確保できる作業機械の油圧駆動システムを提供することにある。
【課題を解決するための手段】
【００１０】
上記の目的を達成するために、第１の発明は、油圧ポンプ装置と、前記油圧ポンプ装置から圧油が供給され第１被駆動体を駆動する第１油圧アクチュエータと、前記油圧ポンプ装置から圧油が供給され第２被駆動体を駆動する第２油圧アクチュエータと、前記油圧ポンプ装置から前記第１油圧アクチュエータに供給される圧油の流れを制御する第１流量調整装置と、前記油圧ポンプ装置から前記第２油圧アクチュエータに供給される圧油の流れを制御する第２流量調整装置と、前記第１被駆動体の動作を指令する操作信号を出力し前記第１流量調整装置を切り換える第１操作装置と、前記第２被駆動体の動作を指令する操作信号を出力し前記第２流量調整装置を切り換える第２操作装置とを備え、前記第１油圧アクチュエータは、前記第１操作装置が前記第１被駆動体の自重落下方向に操作されたときに、前記第１被駆動体の自重落下によりボトム側油室から圧油を排出しロッド側油室から圧油を吸入する油圧シリンダである作業機械の油圧駆動システムにおいて、
前記油圧シリンダのボトム側油室を前記油圧ポンプ装置と前記第２油圧アクチュエータとの間に接続する再生通路と、前記油圧シリンダのボトム側油室から排出される圧油の少なくとも一部を前記再生通路を介して前記油圧ポンプ装置と前記第２油圧アクチュエータの間に供給する再生流量調整手段と、前記油圧シリンダのボトム側油室の圧力を検出する第１圧力検出手段が検出した前記油圧シリンダのボトム側油室の圧力、および前記油圧ポンプ装置と前記第２油圧アクチュエータの間の圧力を検出する第２圧力検出手段が検出した前記油圧ポンプ装置と前記第２油圧アクチュエータの間の圧力とを読み込み、差圧を算出する差圧算出手段、又は前記油圧シリンダのボトム側油室の圧力と，前記油圧ポンプ装置と前記第２油圧アクチュエータの間の圧力との差圧を検出する差圧検出手段と、前記差圧算出手段が算出した差圧、又は前記差圧検出手段が検出した差圧の増加に応じて前記再生通路の開口面積を増加させるように前記再生流量調整手段を制御する制御装置を備えたものとする。
【００１１】
また、第２の発明は、第１の発明において、前記油圧ポンプ装置は少なくとも１つの可変容量型の油圧ポンプを含み、前記可変容量型の油圧ポンプは、吐出流量を調整可能とする吐出流量調整手段を備え、前記制御装置は前記差圧算出手段が算出した差圧、又は前記差圧検出手段が検出した差圧に応じて、前記油圧ポンプの吐出流量を制御するために、前記吐出流量調整手段を制御することを特徴とする。
【００１２】
さらに、第３の発明は、第１の発明において、前記油圧シリンダのボトム側油室から排出される圧油の少なくとも一部をタンクに排出する排出流量調整手段をさらに備え、前記制御装置は前記差圧算出手段が算出した差圧、又は前記差圧検出手段が検出した差圧に応じて、前記タンクに排出する圧油の排出流量を制御するために、前記排出流量調整手段を制御することを特徴とする。
【００１３】
また、第４の発明は、第２の発明において、前記油圧シリンダのボトム側油室から排出される圧油の少なくとも一部をタンクに排出する排出流量調整手段をさらに備え、前記制御装置は前記差圧算出手段が算出した差圧、又は前記差圧検出手段が検出した差圧に応じて、前記タンクに排出する圧油の排出流量を制御するために、前記排出流量調整手段を制御することを特徴とする。
【００１４】
さらに、第５の発明は、第４の発明において、前記第１操作装置の操作量を検出する第１操作量検出器と、前記第２操作装置の操作量を検出する第２操作量検出器とをさらに備え、前記制御装置は、前記第１操作量検出器が検出した前記第１操作装置の操作量と前記第２操作量検出器が検出した前記第２操作装置の操作量とを読み込み、前記第１操作装置、または前記第２操作装置の少なくとも一方の操作量に応じて、前記再生流量調整手段、前記排出流量調整手段、または前記吐出流量調整手段の少なくともいずれか一つを制御することを特徴とする。
【００１５】
また、第６の発明は、第５の発明において、前記制御装置は、前記第１操作装置、または前記第２操作装置の少なくとも一方の操作量が一定量のときは、前記差圧算出手段が算出した差圧、又は前記差圧検出手段が検出した差圧の増加に応じて前記再生通路を流れる圧油の流量を増加させるように前記再生流量調整手段を制御することを特徴とする。
【００１６】
さらに、第７の発明は、第５の発明において、前記制御装置は、前記差圧算出手段が算出した差圧、又は前記差圧検出手段が検出した差圧が一定量のときは、前記第１操作装置の操作量の増加または前記第２操作装置の操作量の増加に応じて、前記再生通路を流れる圧油の流量を増加させるように前記再生流量調整手段を制御することを特徴とする。
【００１７】
また、第８の発明は、第４の発明において、前記再生流量調整手段と前記排出流量調整手段は、再生側絞りと排出側絞りを有する１つの再生制御弁であることを特徴とする。
【００１８】
さらに、第９の発明は、第４の発明において、前記再生流量調整手段は再生流量を調整する再生弁であり、前記排出流量調整手段は排出流量を調整する排出弁であることを特徴とする。
【発明の効果】
【００１９】
本発明によれば、油圧アクチュエータから排出された圧油を他の油圧アクチュエータの駆動に再生する場合に、油圧アクチュエータから排出された圧油の圧力と他の油圧アクチュエータの圧力と差圧に応じて再生弁の開度を調整するので、切り替えショックが抑制されるとともに、良好な操作性が実現できる。
【図面の簡単な説明】
【００２０】
【図１】本発明の作業機械の油圧駆動システムの第１の実施の形態を示す制御システムの概略図である。
【図２】本発明の作業機械の油圧駆動システムの第１の実施の形態を搭載した油圧ショベルを示す側面図である。
【図３】本発明の作業機械の油圧駆動システムの第１の実施の形態を構成する再生制御弁の開口面積特性を示す特性図である。
【図４】本発明の作業機械の油圧駆動システムの第１の実施の形態を構成するコントローラのブロック図である。
【図５】本発明の作業機械の油圧駆動システムの第２の実施の形態を示す制御システムの概略図である。
【図６】本発明の作業機械の油圧駆動システムの第２の実施の形態を構成するタンク側制御弁の開口面積特性を示す特性図である。
【図７】本発明の作業機械の油圧駆動システムの第２の実施の形態を構成する再生側制御弁の開口面積特性を示す特性図である。
【図８】本発明の作業機械の油圧駆動システムの第２の実施の形態を構成するコントローラのブロック図である。
【発明を実施するための形態】
【００２１】
以下、本発明の作業機械の油圧駆動システムの実施の形態を図面を用いて説明する。
【実施例１】
【００２２】
図１は本発明の作業機械の油圧駆動システムの第１の実施の形態を示す制御システムの概略図である。
【００２３】
図１において、本実施の形態の油圧駆動システムは、メインの油圧ポンプ１及びパイロットポンプ３を含むポンプ装置５０と、油圧ポンプ１から圧油が供給され、第１被駆動体である油圧ショベルのブーム２０５（図２参照）を駆動するブームシリンダ４（第１油圧アクチュエータ）と、油圧ポンプ１から圧油が供給され、第２被駆動体である油圧ショベルのアーム２０６（図２参照）を駆動するアームシリンダ８（第２油圧アクチュエータ）と、油圧ポンプ１からブームシリンダ４に供給される圧油の流れ（流量と方向）を制御する制御弁５（第１流量調整装置）と、油圧ポンプ１からアームシリンダ８に供給される圧油の流れ（流量と方向）を制御する制御弁９（第２流量調整装置）と、ブームの動作指令を出力し制御弁５を切り換える第１操作装置６と、アームの動作指令を出力し制御弁９を切り換える第２操作装置１０とを備えている。油圧ポンプ１は図示しない他のアクチュエータにも圧油が供給されるように図示しない制御弁にも接続されているが、それらの回路部分は省略している。
【００２４】
油圧ポンプ１は可変容量型であり、吐出流量調整手段であるレギュレータ１ａを備え、コントローラ２７（後述）からの制御信号によってレギュレータ１ａを制御することで油圧ポンプ１の傾転角（容量）が制御され、吐出流量が制御される。また、図示はしないが、レギュレータ１ａは公知の如く、油圧ポンプ１の吐出圧が導かれ、油圧ポンプ１の吸収トルクが予め定めた最大トルクを超えないように油圧ポンプ１の傾転角（容量）を制限するトルク制御部を有している。油圧ポンプ１は圧油供給管路７ａ，１１ａを介して制御弁５，９に接続され、油圧ポンプ１の吐出油は制御弁５，９に供給される。
【００２５】
流量調整装置である制御弁５，９は、それぞれ、ボトム側管路１５，２０又はロッド側管路１３，２１を介してブームシリンダ４及びアームシリンダ８のボトム側油室或いはロッド側油室に接続され、制御弁５，９の切換位置に応じて、油圧ポンプ１の吐出油は制御弁５，９からボトム側管路１５，２０又はロッド側管路１３，２１を介してブームシリンダ４及びアームシリンダ８のボトム側油室或いはロッド側油室に供給される。ブームシリンダ４から排出された圧油は、少なくともその一部が制御弁５からタンク管路７ｂを介してタンクに環流される。アームシリンダ８から排出された圧油は、その全てが制御弁９からタンク管路１１ｂを介してタンクに環流される。
【００２６】
なお、本実施の形態においては、油圧ポンプ１から各油圧アクチュエータ４，８に供給される圧油の流れ（流量と方向）を制御する流量調整装置を、それぞれ１つの制御弁５，９で構成する場合を例に説明するが、これに限るものではない。流量調整装置は、複数のバルブで供給する構成でも良いし、供給と排出を別々のバルブで構成するものでも良い。
【００２７】
第１及び第２操作装置６，１０は、それぞれ、操作レバー６ａ，１０ａとパイロット弁６ｂ，１０ｂとを有し、パイロット弁６ｂ，１０ｂは、それぞれ、パイロット管路６ｃ，６ｄ及びパイロット管路１０ｃ，１０ｄを介して制御弁５の操作部５ａ，５ｂ及び制御弁９の操作部９ａ，９ｂに接続されている。
【００２８】
操作レバー６ａがブーム上げ方向BU（図示左方向）に操作されると、パイロット弁６ｂは操作レバー６ａの操作量に応じた操作パイロット圧Pbuを生成し、この操作パイロット圧Pbuはパイロット管路６ｃを介して制御弁５の操作部５ａに伝えられ、制御弁５はブーム上げ方向（図示右側の位置）に切り換えられる。操作レバー６ａがブーム下げ方向BD（図示右方向）に操作されると、パイロット弁６ｂは操作レバー６ａの操作量に応じた操作パイロット圧Pbdを生成し、この操作パイロット圧Pbdはパイロット管路６ｄを介して制御弁５の操作部５ｂに伝えられ、制御弁５はブーム下げ方向（図示左側の位置）に切り換えられる。
【００２９】
操作レバー１０ａがアームクラウド方向AC（図示右方向）に操作されると、パイロット弁１０ｂは操作レバー１０ａの操作量に応じた操作パイロット圧Pacを生成し、この操作パイロット圧Pacはパイロット管路１０ｃを介して制御弁９の操作部９ａに伝えられ、制御弁９はアームクラウド方向（図示左側の位置）に切り換えられる。操作レバー１０ａがアームダンプ方向AD（図示左方向）に操作されると、パイロット弁１０ｂは操作レバー１０ａの操作量に応じた操作パイロット圧Padを生成し、この操作パイロット圧Padはパイロット管路１０ｄを介して制御弁９の操作部９ｂに伝えられ、操作弁９はアームダンプ方向（図示右側の位置）に切り換えられる。
【００３０】
ブームシリンダ４のボトム側管路１５とロッド側管路１３との間、アームシリンダ８のボトム側管路２０とロッド側管路２１との間には、それぞれ、メイクアップ付きオーバーロードリリーフ弁１２，１９が接続されている。メイクアップ付きオーバーロードリリーフ弁１２，１９は、ボトム側管路１５，２０及びロッド側管路１３，２１の圧力が上がりすぎることにより油圧回路機器が損傷することを防ぐ機能と、ボトム側管路１５，２０及びロッド側管路１３，２１が負圧になることによりキャビテーションが発生することを低減する機能を有している。
【００３１】
なお、本実施の形態は、ポンプ装置５０が１つのメインポンプ（油圧ポンプ１）を含む場合のものであるが、ポンプ装置５０は複数（例えば２つ）のメインポンプを含み、制御弁５，９に別々のメインポンプを接続し、ブームシリンダ４とアームシリンダ８に別々のメインポンプから圧油を供給するようにしても良い。
【００３２】
図２は、本発明の作業機械の油圧駆動システムの第１の実施の形態を搭載した油圧ショベルを示す側面図である。
【００３３】
油圧ショベルは下部走行体２０１と上部旋回体２０２とフロント作業機２０３を備えている。下部走行体２０１は左右のクローラ式走行装置２０１ａ，２０１ａ（片側のみ図示）を有し、左右の走行モータ２０１ｂ，２０１ｂ（片側のみ図示）により駆動される。上部旋回体２０２は下部走行体２０１上に旋回可能に搭載され、旋回モータ２０２ａにより旋回駆動される。フロント作業機２０３は上部旋回体２０２の前部に俯仰可能に取り付けられている。上部旋回体２０２にはキャビン（運転室）２０２ｂが備えられ、キャビン２０２ｂ内には上記第１及び第２操作装置６，１０や図示しない走行用の操作ペダル装置等の操作装置が配置されている。
【００３４】
フロント作業機２０３はブーム２０５（第１被駆動体）、アーム２０６（第２被駆動体）、バケット２０７を有する多関節構造であり、ブーム２０５はブームシリンダ４の伸縮により上部旋回体２０２に対して上下方向に回動し、アーム２０６はアームシリンダ８の伸縮によりブーム２０５に対して上下及び前後方向に回動し、バケット２０７はバケットシリンダ２０８の伸縮によりアーム２０６に対して上下及び前後方向に回動する。
【００３５】
図１では、左右の走行モータ２０１ｂ，２０１ｂ、旋回モータ２０２ａ、バケットシリンダ２０８等の油圧アクチュエータに係わる回路部分を省略して示している。
【００３６】
ここで、ブームシリンダ４は、第１操作装置６の操作レバー６ａがブーム下げ方向（第１被駆動体の自重落下方向）BDに操作されたときに、ブーム２０５を含むフロント作業機２０３の重量に基づく自重落下により、ボトム側油室から圧油を排出しロッド側油室から圧油を吸入する油圧シリンダである。
【００３７】
図１に戻り、本発明の油圧駆動システムは、上述した構成要素に加えて、ブームシリンダ４のボトム側管路１５に配置され、ブームシリンダ４のボトム側油室から排出される圧油の流量を、制御弁５側（タンク側）とアームシリンダ８の圧油供給管路１１ａ側（再生通路側）とに分配調整可能とする２位置３ポートの再生制御弁１７と、再生制御弁１７の一方の出口ポートに一端側が接続され他端側が圧油供給管路１１ａに接続される再生通路１８と、ブームシリンダ４のボトム側管路１５及びロッド側管路１３からそれぞれ分岐し、ボトム側管路１５及びロッド側管路１３とを接続する連通通路１４と、連通通路１４に配置され、第１操作装置６のブーム下げ方向BDの操作パイロット圧Pbd（操作信号）に基づいて開弁し、ブームシリンダ４のボトム側油室の排出油の一部をブームシリンダ４のロッド側油室に再生して供給するとともに、ブームシリンダ４のボトム側油室をロッド側油室に連通させることでロッド側油室の負圧の発生を防止する連通制御弁１６と、電磁比例弁２２と、圧力センサ２３，２４，２５，２６と、コントローラ２７とを備えている。
【００３８】
再生制御弁１７は、ブームシリンダ４のボトム側油室からの排出油をタンク側（制御弁５側）と再生通路１８側とに流すことができるようタンク側通路（第１絞り）と再生側通路（第２絞り）とを有している。再生制御弁１７のストロークは電磁比例弁２２によって制御される。再生制御弁１７の他方の出口ポートは、制御弁５のポートと接続している。本実施の形態においては、再生制御弁１７が、ブームシリンダ４のボトム側油室から排出される圧油の少なくとも一部を再生通路１８を介して油圧ポンプ１とアームシリンダ８の間に、その流量を調整して供給する再生流量調整手段と、ブームシリンダ４のボトム側油室から排出される圧油の少なくとも一部を、その流量を調整してタンクに排出する排出流量調整手段とを構成する。
【００３９】
連通制御弁１６は操作部１６ａを有し、第１操作装置６のブーム下げ方向BDの操作パイロット圧Pbdが操作部１６ａに伝えられることにより開弁する。
【００４０】
圧力センサ２３はパイロット管路６ｄに接続され、第１操作装置６のブーム下げ方向BDの操作パイロット圧Pbdを検出し、圧力センサ２５はブームシリンダ４のボトム側管路１５に接続され、ブームシリンダ４のボトム側油室の圧力を検出し、圧力センサ２６はアームシリンダ８側の圧油供給管路１１ａに接続され、油圧ポンプ１の吐出圧を検出する。圧力センサ２４は、第２操作装置１０のパイロット管路１０ｄに接続され、第２操作装置１０のアームダンプ方向の操作パイロット圧Padを検出する。
【００４１】
コントローラ２７は、圧力センサ２３，２４，２５，２６からの検出信号１２３，１２４，１２５，１２６を入力し、それらの信号に基づいて所定の演算を行い、電磁比例弁２２とレギュレータ１ａに制御指令を出力する。
【００４２】
電磁比例弁２２はコントローラ２７からの制御指令により動作する。電磁比例弁２２は、パイロットポンプ３から供給された圧油を所望の圧力に変換して再生制御弁１７の操作部１７ａに出力し、再生制御弁１７のストロークを制御することで開度（開口面積）を制御する。
【００４３】
図３は、本発明の作業機械の油圧駆動システムの第１の実施の形態を構成する再生制御弁の開口面積特性を示す特性図である。図３の横軸は再生制御弁１７のスプールストロークを示し、縦軸は開口面積を示している。
【００４４】
図３において、スプールストロークが最小の場合（ノーマル位置にある場合）は、タンク側通路が開いており開口面積は最大であり、再生側通路が閉じ開口面積はゼロである。ストロークを徐々に増やしてゆくと、タンク側通路の開口面積が徐々に減少し、再生側通路が開いて開口面積が徐々に増加してゆく。ストロークを更に増加させると、タンク側通路が閉じ（開口面積がゼロとなり）、再生側通路の開口面積は更に増加してゆく。このように構成されている結果、スプールストロークが最小の場合は、ブームシリンダ４のボトム側油室から排出された圧油は再生されることなく、全量が制御弁５側に流入し、ストロークを徐々に右に動かしていくと、ブームシリンダ４のボトム側油室から排出された圧油の一部が再生通路１８に流入する。また、ストロークを調整することにより、タンク側通路と再生側通路１８の開口面積を変化させることができ、再生流量を制御することができる。
【００４５】
次に、ブーム下げのみを行う場合の動作の概要について説明する。  
図１において、第１操作装置６の操作レバー６ａがブーム下げ方向BDに操作された場合、第１操作装置６のパイロット弁６ｂから発生した操作パイロット圧Pbdは制御弁５の操作部５ｂと連通制御弁１６の操作部１６ａに入力される。それにより制御弁５は図示左側の位置に切換られ、ボトム管路１５がタンク管路７ｂと連通することにより、ブームシリンダ４のボトム側油室から圧油がタンクに排出され、ブームシリンダ４のピストンロッドが縮小動作（ブーム下げ動作）を行う。
【００４６】
さらに連通制御弁１４が図示下側の連通位置に切換られることにより、ブームシリンダ４のボトム側管路１５をロッド側管路１３に連通し、ブームシリンダ４のボトム側油室の排出油の一部をブームシリンダ４のロッド側油に供給する。このことにより、ロッド側油室での負圧の発生を防止すると共に、油圧ポンプ１から圧油を供給する必要がなくなるので、油圧ポンプ１の出力が抑制され燃費を低減できる。
【００４７】
次に、ブーム下げとアームの駆動を同時に行う場合の動作の概要について説明する。なお、原理としてはアームダンプをする場合とクラウドする場合で同様のため、アームダンプ動作を例に説明する。
【００４８】
第１操作装置６の操作レバー６ａがブーム下げ方向BDに操作され、同時に第２操作装置１０の操作レバー１０ａがアームダンプ方向ADに操作された場合、第１操作装置６のパイロット弁６ｂから発生した操作パイロット圧Pbdは制御弁５の操作部５ｂと連通制御弁１６の操作部１６ａに入力される。それにより制御弁５は図示左側の位置に切換られ、ボトム管路１５がタンク管路７ｂと連通することにより、ブームシリンダ４のボトム側油室から圧油がタンクに排出され、ブームシリンダ４のピストンロッドが縮小動作（ブーム下げ動作）を行う。
【００４９】
第２操作装置１０のパイロット弁１０ｂから発生した操作パイロット圧Padは制御弁９の操作部９ｂに入力される。それにより制御弁９は切換られ、ボトム管路２０がタンク管路１１ｂと連通しかつロッド管路２１が圧油供給管路１１ａと連通することにより、アームシリンダ８のボトム側油室の圧油はタンクに排出され、油圧ポンプ１からの吐出油がアームシリンダ８のロッド側油室に供給される。この結果、アームシリンダ８のピストンロッドは縮小動作を行う。
【００５０】
コントローラ２７には圧力センサ２３，２４，２５，２６からの検出信号１２３，１２４，１２５，１２６が入力され、後述する制御ロジックによって、電磁比例弁２２と油圧ポンプ１のレギュレータ１ａに制御指令を出力する。
【００５１】
電磁比例弁２２は制御指令に応じた制御圧力を生成し、この制御圧力により再生制御弁１７は制御され、ブームシリンダ４のボトム側油室から排出された圧油の一部或いは全部が再生制御弁１７を介しアームシリンダ８に再生して供給される。
【００５２】
油圧ポンプ１のレギュレータ１ａは制御指令に基づいて油圧ポンプ１の傾転角を制御し、アームシリンダ８の目標速度を保つよう適切にポンプ流量を制御する。
【００５３】
次に、コントローラ２７の制御機能について説明する。コントローラ２７は、概略、以下の２つの機能を有している。
【００５４】
まず、コントローラ２７は、第１操作装置６がブーム２０５（第１被駆動体）の自重落下方向であるブーム下げ方向BDに操作され、これと同時に第２操作装置１０が操作されたとき、ブームシリンダ４のボトム側油室の圧力が油圧ポンプ１とアームシリンダ８との間の圧油供給管路１１ａの圧力より高い場合に再生制御弁１７をノーマル位置から切り換えることにより、ブームシリンダ４のボトム側油室からの排出油がアームシリンダのロッド側油室に再生される。コントローラ２７は、ブームシリンダ４のボトム側油室の圧力と油圧ポンプ１とアームシリンダ８の間の圧油供給管路１１ａの圧力との差圧を算出する差圧算出部を備え、差圧算出部が算出した差圧に応じて再生制御弁１７の開度を制御する（第１機能）。
【００５５】
具体的には、差圧算出部が算出した差圧が小さいときには再生制御弁１７のストロークを小さくして再生側通路の開口面積を絞るとともに、タンク側通路の開口面積を広くする。差圧が大きくなるに従って、再生側通路の開口面積を広くし、タンク側通路の開口面積を絞る。差圧が一定値以上に大きいときに、再生側通路の開口面積を最大値として、タンク側開口を閉止するように制御する。このように制御することで、再生制御弁１７の切換ショックを抑制する。
【００５６】
ブーム下げ操作とアーム駆動を同時に行った場合、動き始めは差圧が小さく、時間が経つにつれて差圧が大きくなる。そのため、差圧に応じて再生側通路の開口面積を徐々に開くことにより、切換ショックが抑えられ、良好な操作性を実現できる。
【００５７】
さらに、差圧が小さい場合は、再生側開口を広くしても再生流量が少ないことから、ブームシリンダのピストンロッドの速度が遅くなることがある。そのため、差圧が小さい場合は、タンク側通路の開口面積を広くすることで、ボトム側油室からの排出流量を増加させ、ブームシリンダのピストンロッドの速度をオペレータの望む速度にするように制御している。一方、差圧が大きい場合は、再生流量が十分多くなることから、タンク側通路の開口を絞ることで、ブームシリンダのピストンロッドの速度が速くなり過ぎることを防止している。
【００５８】
また、コントローラ２７は、再生制御弁１７を制御してブームシリンダ４のボトム側油室から油圧ポンプ１とアームシリンダ８との間の圧油供給管路１１ａに圧油を供給するとき、ブームシリンダ４のボトム側油室から圧油供給管路１１ａに供給される再生流量分、油圧ポンプ１の容量を減少させるように制御する（第２機能）。
【００５９】
図４は、本発明の作業機械の油圧駆動システムの第１の実施の形態を構成するコントローラのブロック図である。
【００６０】
図４に示すように、コントローラ２７は、加算器１３０、関数発生器１３１、関数発生器１３３、関数発生器１３４、関数発生器１３５、乗算器１３６、乗算器１３８、関数発生器１３９、乗算器１４０、乗算器１４２、加算器１４４、出力変換部１４６を有している。
【００６１】
図４において、検出信号１２３は第１操作装置６の操作レバー６ａのブーム下げ方向の操作パイロット圧Pbdを圧力センサ２３により検出した信号（レバー操作信号）であり、検出信号１２４は第２操作装置１０の操作レバー１０ａのアームダンプ方向の操作パイロット圧Padを圧力センサ２４により検出した信号（レバー操作信号）であり、検出信号１２５はブームシリンダ４のボトム側油室の圧力（ボトム側管路１５の圧力）を圧力センサ２５により検出した信号（ボトム圧信号）であり、検出信号１２６は油圧ポンプ１の吐出圧（圧油供給管路１１ａの圧力）を圧力センサ２６により検出した信号（ポンプ圧信号）である。
【００６２】
差圧算出部としての加算器１３０には、ボトム圧信号１２５及びポンプ圧信号１２６が入力され、ボトム圧信号１２５とポンプ圧信号１２６の偏差（ブームシリンダ４のボトム側油室の圧力と油圧ポンプ１の吐出圧との差圧）が求められ、この差圧信号が関数発生器１３１と関数発生器１３２に入力される。
【００６３】
関数発生器１３１は、加算器１３０で求めた差圧信号に応じた再生制御弁１７の再生側通路の開口面積を算出するものであり、図３に示した再生制御弁１７の開口面積特性を基に特性が設定されている。具体的には、差圧が小さい場合には、再生制御弁１７のストロークを小さくして再生側通路の開口面積を絞り、タンク側通路の開口面積を広げる。一方差圧が大きい場合には、再生通路側の開口面積を広くし、差圧が一定値に達すると再生側通路の開口面積を最大として、タンク側通路の開口を閉じるように制御する。
【００６４】
関数発生器１３３は、加算器１３０で求めた差圧信号に応じた油圧ポンプ１の低減流量（以下ポンプ低減流量という）を求めるものである。関数発生器１３１の特性により差圧が大きくなるほど再生側通路の開口面積が大きくなり再生流量が増加する。このことから、差圧が大きくなるほど、ポンプ低減流量も多くなるように設定している。
【００６５】
関数発生器１３４は、第１操作装置６のレバー操作信号１２３に応じて乗算器で用いる係数を算出するものであり、レバー操作信号１２３が０のときに最小値０を出力し、レバー操作信号１２３の増加にともなって出力を増大させ最大値として１を出力する。
【００６６】
乗算器１３６は、関数発生器１３１で算出された開口面積と関数発生器１３４で算出された値とを入力し、乗算値を開口面積として出力する。ここで、第１操作装置６のレバー操作信号１２３が小さい場合は、ブームシリンダ４のピストンロッド速度を遅くする必要があるので、再生流量も減らすことが要求される。このため、関数発生器１３４は０以上１以下の範囲から小さい値を出力し、関数発生器１３１で算出された開口面積をさらに小さな値として出力する。
【００６７】
一方、第１操作装置６のレバー操作信号１２３が大きい場合は、ブームシリンダ４のピストンロッド速度を速くする必要があるので、再生流量も増加できる。このため、関数発生器１３４は０以上１以下の範囲から大きい値を出力し、関数発生器１３１で算出された開口面積の減少量を減らし、大きな開口面積の値を出力する。
【００６８】
乗算器１３８は、関数発生器１３３で算出されたポンプ低減流量と関数発生器１３４で算出された値とを入力し、乗算値をポンプ低減流量として出力する。ここで、第１操作装置６のレバー操作信号１２３が小さい場合は、再生流量も少ないので、ポンプ低減流量も少なく設定することが要求される。このため、関数発生器１３４は０以上１以下の範囲から小さい値を出力し、関数発生器１３３で算出されたポンプ低減流量をさらに小さな値として出力する。
【００６９】
一方、第１操作装置６のレバー操作信号１２３が大きい場合は、再生流量が多くなり、ポンプ低減流量も大きく設定する必要がある。このため、関数発生器１３４は０以上１以下の範囲から大きい値を出力し、関数発生器１３３で算出されたポンプ低減流量の減少量を減らし、大きなポンプ低減流量の値を出力する。
【００７０】
関数発生器１３５は、第２操作装置１０のレバー操作信号１２４に応じて乗算器で用いる係数を算出するものであり、レバー操作信号１２４が０のときに最小値０を出力し、レバー操作信号１２４の増加にともなって出力を増大させ最大値として１を出力する。
【００７１】
乗算器１４０は、乗算器１３６で算出された開口面積と関数発生器１３５で算出された値とを入力し、乗算値を開口面積として出力する。ここで、第２操作装置１０のレバー操作信号１２４が小さい場合は、アームシリンダ４のピストンロッド速度を遅くする必要があるので、再生流量も減らすことが要求される。このため、関数発生器１３５は０以上１以下の範囲から小さい値を出力し、乗算器１３６で補正された開口面積をさらに小さな値として出力する。
【００７２】
一方、第２操作装置１０のレバー操作信号１２４が大きい場合は、アームシリンダ４のピストンロッド速度を速くする必要があるので、再生流量も増加できる。このため、関数発生器１３５は０以上１以下の範囲から大きい値を出力し、乗算器１３６で補正された開口面積の減少量を減らし、大きな開口面積の値を出力する。
【００７３】
乗算器１４２は、乗算器１３８で算出されたポンプ低減流量と関数発生器１３５で算出された値とを入力し、乗算値をポンプ低減流量として出力する。ここで、第２操作装置１０のレバー操作信号１２４が小さい場合は、再生流量も少ないので、ポンプ低減流量も少なく設定することが要求される。このため、関数発生器１３５は０以上１以下の範囲から小さい値を出力し、乗算器１３８で補正されたポンプ低減流量をさらに小さな値として出力する。
【００７４】
一方、第２操作装置１０のレバー操作信号１２４が大きい場合は、再生流量が多くなり、ポンプ低減流量も大きく設定する必要がある。このため、関数発生器１３５は０以上１以下の範囲から大きい値を出力し、乗算器１３８で補正されたポンプ低減流量の減少量を減らし、大きなポンプ低減流量の値を出力する。
【００７５】
関数発生器１３９は、第２操作装置１０のレバー操作信号１２４に応じてポンプ要求流量を算出するものである。レバー操作信号１２４が０の場合には、最低限の流量を油圧ポンプ１から出力するような特性が設定されている。これは、第２操作装置１０の操作レバー１０ａを入れたときの応答性を良くすることと、油圧ポンプ１の焼付きを防止することを目的としてしる。また、レバー操作信号１２４の増加に伴って油圧ポンプ１の吐出流量を増加させ、アームシリンダ８に流入する圧油の流量を増やす。このことにより、操作量に応じたアームシリンダ８のピストンロッド速度を実現する。
【００７６】
加算器１４４には、乗算器１４２で算出されたポンプ低減流量と関数発生器１３９で算出されたポンプ要求流量とが入力され、ポンプ要求流量からポンプ低減流量すなわち再生流量が減算されて目標ポンプ流量が算出される。
【００７７】
出力変換部１４６には、乗算器１４０からの出力と加算器１４４からの出力が入力され、それぞれ電磁比例弁２２への電磁弁指令２２２及び油圧ポンプ１のレギュレータ１ａへの傾転指令２０１が出力される。
【００７８】
このことにより、電磁比例弁２２は、パイロットポンプ３から供給された圧油を所望の圧力に変換して再生制御弁１７の操作部１７ａに出力し、再生制御弁１７のストロークを制御することで開度（開口面積）を制御する。また、レギュレータ１ａが油圧ポンプ１の傾転角（容量）を制御することで、吐出流量が制御される。この結果、油圧ポンプ１は、ブームシリンダ４のボトム側から圧油供給管路１１ａに供給される再生流量分、容量を減少させるように制御される。
【００７９】
次に、コントローラ２７の動作について説明する。
【００８０】
第１操作装置６の操作レバー６ａをブーム下げ方向BDに操作することにより、圧力センサ２３により検出された操作パイロット圧Pbdの信号はレバー操作信号１２３としてコントローラ２７に入力される。第２操作装置１０の操作レバー１０ａをアームダンプ方向ADに操作することにより、圧力センサ２４により検出された操作パイロット圧Padの信号はレバー操作信号１２４としてコントローラ２７に入力される。また、圧力センサ２５，２６により検出されたブームシリンダ４のボトム側油室の圧力、油圧ポンプ１の吐出圧の各信号はボトム圧信号１２５、ポンプ圧信号１２６としてコントローラ２７に入力される。
【００８１】
ボトム圧信号１２５とポンプ圧信号１２６とが差圧算出部としての加算器１３０に入力され、差圧信号を算出する。差圧信号は関数発生器１３１と関数発生器１３３に入力され、それぞれ再生制御弁１７の再生側通路の開口面積とポンプ低減流量とを算出する。
【００８２】
レバー操作信号１２３が関数発生器１３４に入力され、関数発生器１３４は、レバー操作量に応じた補正信号を算出し、乗算器１３６と乗算器１３８へ出力する。乗算器１３６は関数発生器１３１から出力される再生側通路の開口面積を補正し、乗算器１３８は関数発生器１３３から出力されるポンプ低減流量を補正する。
【００８３】
同様にレバー操作信号１２４が関数発生器１３５に入力されると、関数発生器１３５は、レバー操作量に応じた補正信号を算出し、乗算器１４０と乗算器１４２へ出力する。乗算器１４０は乗算器１３６から出力される補正された再生側通路の開口面積を更に補正して出力変換部１４６へ出力し、乗算器１４２は乗算器１３８から出力される補正されたポンプ低減流量を更に補正して加算器１４４へ出力する。
【００８４】
出力変換部１４６は、補正された再生側通路の開口面積を電磁弁指令２２２に変換し、電磁比例弁２２に出力する。このことにより再生制御弁１７のストロークが制御される。この結果、再生制御弁１７はブームシリンダ４のボトム側油室の圧力と油圧ポンプ１の吐出圧との差圧に応じた開口面積に設定され、ブームシリンダ４のボトム側油室からの排出油がアームシリンダ８へ再生される。
【００８５】
レバー操作信号１２４が関数発生器１３９に入力され、関数発生器１３９は、レバー操作量に応じたポンプ要求流量を算出して加算器１４４へ出力する。
【００８６】
演算されたポンプ要求流量とポンプ低減流量とが加算器１４４へ入力され、ポンプ要求流量からポンプ低減流量すなわち再生流量を減算して目標ポンプ流量を算出して出力変換部１４６へ出力する。
【００８７】
出力変換部１４６は、この目標ポンプ流量を油圧ポンプ１の傾転指令２０１に変換し、レギュレータ１ａに出力する。このことにより、アームシリンダ８は第２操作装置１０の操作信号（操作パイロット圧Pad）に応じた所望の速度に制御されるとともに、再生流量分油圧ポンプ１の吐出流量を低減することにより、油圧ポンプ１を駆動するエンジンの燃費を低減し、省エネルギ化を図ることが可能となる。
【００８８】
以上の動作により、再生制御弁１７は、ブームシリンダ４のボトム側油室の圧力と油圧ポンプ１の吐出圧との差圧に応じて、再生側通路の開口面積を徐々に増加させていくので、切換ショックが抑制され、良好な操作性が実現できる。また、上述した差圧と、第１操作装置６の操作量と、第２操作装置１０の操作量とがいずれも小さいときには、再生制御弁１７の再生側通路の開口面積を小さく設定し、タンク側通路の開口面積を大きく設定するので、再生流量が少なくても、タンク側流量が多くなる。このことにより、オペレータの望むブームシリンダのピストンロッド速度が確保できる。
【００８９】
一方、差圧と、第１操作装置６の操作量と、第２操作装置１０の操作量とが大きいときには、再生制御弁１７の再生側通路の開口面積を大きく設定し、タンク側通路の開口面積を小さく設定するので、ブームシリンダのピストンロッド速度が速くなり過ぎることを抑制し、オペレータの望むブームシリンダのピストンロッド速度を確保できる。また、再生流量に応じて油圧ポンプ１の吐出流量を低減することにより、アームシリンダ８のピストンロッド速度に関してもオペレータの望む速度を確保できる。
【００９０】
上述した本発明の作業機械の油圧駆動システムの第１の実施の形態によれば、油圧アクチュエータ４から排出された圧油を他の油圧アクチュエータ８の駆動に再生する場合に、油圧アクチュエータ４から排出された圧油の圧力と他の油圧アクチュエータ８の圧力と差圧に応じて再生制御弁１７の開度を調整するので、切り替えショックが抑制されるとともに、良好な操作性が実現できる。
【００９１】
なお、本実施の形態においては、コントローラ２７の差圧算出部が、油圧アクチュエータ４から排出された圧油の圧力と、油圧ポンプ１と他の油圧アクチュエータ８の間の圧力とをそれぞれの圧力センサから読み込み、これらの差圧を算出する場合を例に説明したが、これに限るものではない。例えば、油圧アクチュエータ４の排出部と、油圧ポンプ１と他の油圧アクチュエータ８の間との差圧を計測する差圧センサである差圧検出部を設け、差圧検出部が出力する差圧に応じて再生制御弁１７の開度を調整してもよい。
【実施例２】
【００９２】
以下、本発明の作業機械の油圧駆動システムの第２の実施の形態を図面を用いて説明する。図５は本発明の作業機械の油圧駆動システムの第２の実施の形態を示す制御システムの概略図、図６は本発明の作業機械の油圧駆動システムの第２の実施の形態を構成するタンク側制御弁の開口面積特性を示す特性図、図７は本発明の作業機械の油圧駆動システムの第２の実施の形態を構成する再生側制御弁の開口面積特性を示す特性図、図８は本発明の作業機械の油圧駆動システムの第２の実施の形態を構成するコントローラのブロック図である。図５乃至図８において、図１乃至図４に示す符号と同符号のものは同一部分であるので、その詳細な説明は省略する。
【００９３】
本発明の作業機械の油圧駆動システムの第２の実施の形態においては、図１に示す再生制御弁１７に替えてボトム側管路１５に排出流量調整手段としてタンク側制御弁４１を、再生通路１８に再生流量調整手段として再生側制御弁４０をそれぞれ備えた点が第１の実施の形態と異なる。タンク側制御弁４１のストロークは電磁比例弁４４によって制御され、再生側制御弁４０のストロークは電磁比例弁２２によって制御される。
【００９４】
電磁比例弁４４はコントローラ２７からの制御指令により動作する。電磁比例弁４４は、パイロットポンプ３から供給された圧油を所望の圧力に変換してタンク側制御弁４１の操作部４１ａに出力し、タンク側制御弁４１のストロークを制御することで開度（開口面積）を制御する。また、電磁比例弁２２は、パイロットポンプ３から供給された圧油を所望の圧力に変換して再生側制御弁４０の操作部４０ａに出力し、再生側制御弁４０のストロークを制御することで開度（開口面積）を制御する。
【００９５】
図６はタンク側制御弁４１の開口面積特性を示し、図７は再生側制御弁４０開口面積特性をそれぞれ示している。これらの横軸は各弁のスプールストロークを示し、縦軸は開口面積を示している。これらの特性は、図３に示す第１の実施の形態における再生制御弁１７の特性において、タンク側と再生側に分離したものと同等に形成されている。
【００９６】
本実施の形態においては、再生側通路の開口面積とタンク側通路の開口面積とを独立して細かく制御できるので、さらに燃費の向上を図ることができる。
【００９７】
また、本実施の形態の油圧駆動システムは、図１に示した第１の実施の形態におけるコントローラ２７に替えてコントローラ２７Ａを備えている。  
図８は、第２の実施の形態におけるコントローラ２７Ａの制御ロジックを示すブロック図である。なお、図４と同様の制御要素については説明を割愛する。
【００９８】
図８に示すように、コントローラ２７Ａは、図４の第１の実施の形態における加算器１３０、関数発生器１３１、関数発生器１３３、関数発生器１３４、関数発生器１３５、乗算器１３６、乗算器１３８、関数発生器１３９、乗算器１４０、乗算器１４２、加算器１４４に加えて、関数発生器１３２、乗算器１３７、乗算器１４１、加算器１４３、出力変換部１４６Ａを有している。
【００９９】
ここで、追加された演算器は、タンク側制御弁４１を制御するための電磁弁指令２４４を演算するロジックを形成する。再生側制御弁４０を制御するための電磁弁指令２２２に関しては、第１の実施の形態で示した再生制御弁１７を制御するための電磁弁指令２２２と同じ概念のため説明を省略する。
【０１００】
本実施の形態では、差圧算出部としての加算器１３０が算出したブームシリンダ４のボトム側油室の圧力と油圧ポンプ１の吐出圧との差圧と、第１操作装置６の操作量であるレバー操作信号１２３と、第２操作装置１０の操作量であるレバー操作信号１２４とに応じて、再生側通路の開口面積とタンク側通路の開口面積とを細かく調整できるため、さらに燃費の向上を図ることができる。
【０１０１】
図８において、関数発生器１３２は、加算器１３０で求めた差圧信号に応じたタンク側制御弁４１によるタンク側通路の絞るべき開口面積を算出するものである。図６に示したタンク側制御弁４１の開口面積特性によれば、スプールストロークが最小の場合には、開口面積が最大になっていて、ストロークを徐々に増加することで開口面積は減少する特性になっている。一方、再生側制御弁４０の開口面積特性は、図７に示すように、スプールストロークが最小の場合には、開口面積が最小になっていて、ストロークを徐々に増加することで開口面積は増加する特性になっている。
【０１０２】
これらの特性から、本実施の形態においては、再生を行う場合に再生側制御弁４０を開くとともに、ブームシリンダ４のピストンロッド速度が速くなり過ぎないように、タンク側制御弁４１を絞るように制御する。
【０１０３】
図８に戻り、関数発生器１３２は、加算器１３０で求めた差圧信号が小さい場合は、再生側制御弁４０が閉止しているため、タンク側制御弁４１を絞らないように小さい値を出力するように設定する。逆に、差圧信号が大きい場合は、ブームシリンダのピストンロッド速度が速くなりすぎないように、タンク側制御弁４１を絞るように大きな値を出力する。
【０１０４】
乗算器１３７は、関数発生器１３２で算出されたタンク側開口面積の絞り量と関数発生器１３４で算出された値とを入力し、乗算値を出力する。ここで、第１操作装置６のレバー操作信号１２３が小さい場合は、再生側制御弁４０が閉止しているため、ブームシリンダ４のピストンロッド速度を確保するために、タンク側制御弁４１を開くように制御する。このため、関数発生器１３４は０以上１以下の範囲から小さい値を出力し、小さな絞り量の値を出力する。
【０１０５】
一方、第１操作装置６のレバー操作信号１２３が大きい場合は、再生側制御弁４０が開いているため、ブームシリンダ４のピストンロッド速度が速くなりすぎないように、タンク側制御弁４１を閉じるように制御する。このため、関数発生器１３４は０以上１以下の範囲から大きい値を出力し、大きな絞り量の値を出力する。
【０１０６】
乗算器１４１は、乗算器１３７で算出されたタンク側開口面積の絞り量と関数発生器１３５で算出された値とを入力し、乗算値を出力する。ここで、第２操作装置１０のレバー操作信号１２４が小さい場合は、再生側制御弁４０が閉止しているため、ブームシリンダ４のピストンロッド速度を確保するために、タンク側制御弁４１を開くように制御する。このため、関数発生器１３４は０以上１以下の範囲から小さい値を出力し、小さな絞り量の値を出力する。
【０１０７】
一方、第２操作装置１０のレバー操作信号１２４が大きい場合は、再生側制御弁４０が開いているため、ブームシリンダ４のピストンロッド速度が速くなりすぎないように、タンク側制御弁４１を閉じるように制御する。このため、関数発生器１３５は０以上１以下の範囲から大きい値を出力し、大きな絞り量の値を出力する。
【０１０８】
加算器１４３には、タンク側制御弁４１の最大開口面積信号１４７と乗算器１４１で算出されたタンク側開口面積の絞り量とが入力され、最大開口面積からタンク側開口の絞り量が減算されてタンク側制御弁４１の目標開度が算出される。
【０１０９】
出力変換部１４６Ａには加算器１４３からの出力が入力され、電磁比例弁４４への電磁弁指令２４４が出力される。このことにより、電磁比例弁４４は、パイロットポンプ３から供給された圧油を所望の圧力に変換してタンク側制御弁４１の操作部４１ａに出力し、タンク側制御弁４１のストロークを制御することで開度（開口面積）を制御する。
【０１１０】
そして、このとき、出力変換部１４６Ａは、補正された再生側通路の開口面積を電磁弁指令２２２に変換し、電磁比例弁２２に出力する。このことにより再生側制御弁４０のストロークが制御される。この結果、再生側制御弁４０はブームシリンダ４のボトム側油室の圧力と油圧ポンプ１の吐出圧との差圧に応じた開口面積に設定され、ブームシリンダ４のボトム側油室からの排出油がアームシリンダ８へ再生される。
【０１１１】
また、出力変換部１４６Ａは、目標ポンプ流量を油圧ポンプ１の傾転指令２０１に変換し、レギュレータ１ａに出力する。このことにより、アームシリンダ８は第２操作装置１０の操作信号（操作パイロット圧Pad）に応じた所望の速度に制御されるとともに、再生流量分油圧ポンプ１の吐出流量を低減することにより、油圧ポンプ１を駆動するエンジンの燃費を低減し、省エネルギ化を図ることが可能となる。
【０１１２】
上述した本発明の作業機械の油圧駆動システムの第２の実施の形態によれば、上述した第１の実施の形態と同様の効果を得ることができる。
【０１１３】
また、上述した本発明の作業機械の油圧駆動システムの第２の実施の形態によれば、再生側通路の開口面積とタンク側通路の開口面積をそれぞれ独立に制御することができるので、細かい制御が可能になり、再生流量を最大限増加することができる。この結果、燃費低減効果をさらに向上させることができる。
【０１１４】
また、本発明は、上記の各実施の形態に限定されるものではなく、その要旨を逸脱しない範囲内の様々な変形例が含まれる。例えば、上記実施の形態では、本発明を油圧ショベルに適用した場合について説明したが、本発明は、第１操作装置が第１被駆動体の自重落下方向に操作されたときに、第１被駆動体の自重落下によりボトム側から圧油を排出しロッド側から圧油を吸入する油圧シリンダを備える作業機械であれば、油圧クレーン、ホイールローダ等、その他の作業機械にも適用することができる。
【符号の説明】
【０１１５】
１        油圧ポンプ
１ａ      レギュレータ
３        パイロットポンプ
４        ブームシリンダ（第１油圧アクチュエータ）
５        制御弁
６        第１操作装置
６ａ      操作レバー
６ｂ      パイロット弁
６ｃ，６ｄ  パイロット管路
８        アームシリンダ（第２油圧アクチュエータ）
９        制御弁
１０      第１操作装置
１０ａ    操作レバー
１０ｂ    パイロット弁
１０ｃ，１０ｄ  パイロット管路
７ａ，１１ａ  圧油供給管路
７ｂ，１１ｂ  タンク管路
１２      メイクアップ付きオーバーロードリリーフバルブ
１３      ロッド側管路
１４      連通管路
１５      ボトム側管路
１６      連通制御弁
１７      再生制御弁
１８      再生通路
１９      メイクアップ付きオーバーロードリリーフバルブ
２０      ボトム側管路
２１      ロッド側管路
２２      電磁比例弁
２３      圧力センサ
２４      圧力センサ
２５      圧力センサ
２６      圧力センサ
２７      コントローラ
１２３    レバー操作信号
１２４    レバー操作信号
１２５    ボトム圧信号
１２６    ポンプ圧信号
１３０    加算器
１３１    関数発生器
１３３    関数発生器
１３４    関数発生器
１３５    関数発生器
１３６    乗算器
１３８    乗算器
１３９    関数発生器
１４０    乗算器
１４２    乗算器
１４４    加算器
１４６    出力変換部
２０１    傾転指令
２２２    電磁弁指令
２０３    フロント作業機
２０５    ブーム（第１被駆動体）
２０６    アーム（第２被駆動体）
２０７    バケット
【図１】
0006317656.tif 000002
【図２】
0006317656.tif 000003
【図３】
0006317656.tif 000004
【図４】
0006317656.tif 000005
【図５】
0006317656.tif 000006
【図６】
0006317656.tif 000007
【図７】
0006317656.tif 000008
【図８】
0006317656.tif 000009